Podtech/llm-jp-corpus-v4-ja_patent huggingface dataset:
【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  ソーチェーンを潤滑するためのポンプ装置であって、
ポンプハウジング（７）と、該ポンプハウジング（７）内に受容されたピストン（９）と、該ピストンを回転させると同時に長手方向に往復運動させるための手段（３、１０、１１、１２）とを具備し、該手段は原動機（１５、１９）と協働して駆動するための手段（２５）を有するウォームギア（３）と前記ピストン（９）に取付けられたギアピニオン（１０）とを有するポンプ装置において、
前記ウォームギア（３）は、別体として予め加工され且つ前記ギアピニオン（１０）と協働するようになっている螺旋状要素（２８）と、該螺旋状要素（２８）を支持する前記スリーブ状要素（１８）とを有し、前記螺旋状要素（２８）は耐摩耗性材料で製造され、前記スリーブ状要素（１８）と前記ギアピニオン（１０）の歯とはポリマー材料で製造されることを特徴とするポンプ装置。
【請求項２】  前記スリーブ状要素はベアリングスリーブ（１８）を構成し、該ベアリングスリーブはその外側面に前記螺旋状要素（２８）を受容する螺旋状溝（２６）を有することを特徴とする請求項１に記載のポンプ装置。
【請求項３】  原動機（１５、１９）と協働して駆動するための手段（２５）を具備するウォームピニオン（３）において、
別体として予め加工された螺旋状要素（２８）と、該螺旋状要素（２８）を保持するスリーブ状要素（１８）とを具備し、前記螺旋状要素（２８）は耐摩耗性材料で製造され、前記スリーブ状要素（１８）はポリマー材料で製造されることを特徴とするウォームピニオン。
【請求項４】  前記スリーブ状要素はその外側面に螺旋状溝（２６）を有するベアリングスリーブ（１８）を構成し、前記螺旋状溝は前記螺旋状要素（２８）を受容することを特徴とする請求項３に記載のウォームピニオン。
【請求項５】  前記スリーブ状要素（１８）と一体的なディスク状部分（２４）をさらに具備することを特徴とする請求項３または４に記載のウォームピニオン。
【請求項６】  前記螺旋状要素は螺旋状ワイヤ（２８）を構成することを特徴とする請求項３〜５のいずれか１項に記載のウォームピニオン。
【請求項７】  前記螺旋状要素（２８）はばね鋼で製造されることを特徴とする請求項３〜６のいずれか１項に記載のウォームピニオン。
【請求項８】  前記スリーブ状要素（１８）はプラスチック材料で製造されることを特徴とする請求項３〜７のいずれか１項に記載のウォームピニオン。
【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】  伸長性の弾性タブであって、少なくとも１つの弾性層と、該弾性層の少なくとも第１面の少なくとも１つの第２層とを含む同時押出し弾性フィルムを含み、該同時押出し弾性フィルムが、少なくとも一方の面の少なくとも部分的に伸長可能な不織層に取り付けられ、該部分的に伸長可能な不織層が第１方向および第２方向を有するとともに、該第１方向に限られた伸長性を有する少なくとも１つの第１部分と、該第１方向の少なくとも１つの第２非伸長性部分とを有し、
前記伸長可能な弾性材料が、前記第１方向に前記第１部分の伸長限度まで伸長されたときに、少なくとも１．０ｃｍ弾力的に回復して、有効伸長比が少なくとも３０％の弾性タブを形成し、該有効な伸長が、弾性回復力が２０ｇ／ｃｍの力を超える弾性回復長さの部分を含み、さらに、前記弾性材料が、約３５０ｇ／ｃｍ未満の増分伸長力を有する伸長性の弾性タブ。
【請求項２】  前記同時押出し弾性フィルムの第２層が非弾性材料またはブレンドであり、該第２層が、前記不織層の第１部分に接続された領域内で伸長されたときに第１方向に非弾力的に変形し、前記不織層の少なくとも１つの第１部分が少なくとも７５％伸長し、前記不織層の少なくとも１つの第１部分が少なくとも３０％伸長する、請求項１記載の伸長性の弾性タブ。
【請求項３】  前記同時押出し弾性フィルムの第２層が、少なくとも１つの弾性層の両面に形成され、前記第１層の厚さの前記第２層の厚さに対する比が１．５を超え、前記不織層の少なくとも１つの第１部分が少なくとも３０％伸長する、請求項１記載の伸長性の弾性タブ。
【請求項４】  前記第１層の厚さの前記第２層の厚さに対する比が５〜１０００であり、前記同時押出し弾性フィルムの合計厚さが２５〜２００μであり、前記不織層の少なくとも１つの第１部分が少なくとも７５％伸長し、前記不織層の少なくとも１つの第１部分が少なくとも３０％伸長する、請求項１記載の伸長性の弾性タブ。
【請求項５】  前記不織層の少なくとも１つの第１部分が、離間配置された接着位置で前記同時押出し弾性フィルムに取り付けられ、前記不織層が該接着位置に収縮する、請求項２記載の伸長性の弾性タブ。
【請求項６】  前記不織層の少なくとも１つの第１部分が前記同時押出し弾性フィルムに取り付けられ、前記不織層が前記第１方向に伸長することを可能にする複数のスリットが形成されている、請求項１記載の伸長性の弾性タブ。
【請求項７】  前記伸長性のタブが、少なくとも１つの締結部分に締結要素を有し、該締結部分が、前記不織層の第２の非伸長性部分を有する前記伸長性の弾性タブの少なくとも一部を形成する、請求項１記載の伸長性の弾性タブ。
【請求項８】  前記締結要素が、接着剤層または機械的締結要素を含み、該固定要素が前記同時押出し弾性フィルムの第２面に取り付けられる、請求項７記載の伸長性の弾性タブ。
【請求項９】  前記不職層が繊維状ウェブを含み、該繊維が交点で互いに付着する、請求項６記載の伸長性の弾性タブ。
【請求項１０】  前記伸長性の弾性タブが２．０〜７．０ｃｍ弾力的に回復する、請求項１記載の伸長性の弾性タブ。
【請求項１１】  前記伸長性の弾性タブの有効伸長比が４０％を超え、前記第２の非伸長性の部分が、３００ｇ／ｃｍ以下の力を加えた時に伸長せず、前記タブの前記伸長性の部分を伸長限度を超えてさらに伸長させるのに要する増分力が少なくとも１００ｇ／ｃｍである、請求項１記載の伸長性の弾性タブ。
【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  ５μｍ未満の山−谷表面粗さを有する均一な分布の抗生物質を含有する熱可塑性加工可能なポリウレタンから製造された成形品。
【請求項２】  均一な分布の抗生物質を含有する熱可塑性加工可能なポリウレタンの押出又は射出成形により請求項１に記載の成形品を製造する方法。
【請求項３】  均一な分布のシプロフロキサシンを含有する、ポリテトラヒドロフラン、イソホロンジイソシアネート、イソホロンジアミン及び１，６−ヘキサンジオールを反応させることにより得られる熱可塑性加工可能なポリウレタン。
【請求項４】  医療物品における請求項３に記載のポリウレタンの使用。
【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  SEQ ID NO:１のヌクレオチド配列に対して少なくとも６０％同一であるヌクレオチド配列を含む実質的に純粋な核酸。
【請求項２】  SEQ ID NO:１のヌクレオチド配列を含む、請求項１に記載の核酸。
【請求項３】  核酸が、厳しい条件下で、サイエリンポリペプチドをコードする核酸又はその相補鎖にハイブリダイズする、請求項１に記載の核酸。
【請求項４】  核酸が、サイエリンポリペプチドに特異的な抗体と反応するポリペプチドをコードする、請求項１に記載の核酸。
【請求項５】  少なくとも５０アミノ酸長のサイエリンポリペプチドの断片をコードする実質的に純粋な核酸。
【請求項６】  サイエリンポリペプチドに対する少なくとも６０％の配列同一性を含む実質的に純粋なポリペプチド。
【請求項７】  SEQ ID NO:２のアミノ酸配列を含む、請求項６に記載のサイエリンポリペプチド。
【請求項８】  SEQ ID NO:１の核酸との少なくとも８５％の配列同一性を有する核酸によりコードされる実質的に純粋なサイエリンポリペプチド。
【請求項９】  サイエリンポリペプチドが、下記の性質の何れか１つ又はすべてを有する、請求項６に記載の純粋なポリペプチド：
(ｉ)それは、ホモトリマーべータヘリックスを形成する能力を有し；
(ｉｉ)それは、角質化組織の角質化エンベロープの前駆体として作用し；
(ｉｉｉ)それは、角質層細胞の角質化エンベロープに構造的支持を与え；
(ｉｖ)それは、組織構成要素間の接着を促進し；
(ｖ)それは、細胞内シグナリングを促進し；
(ｖｉ)それは、細胞の形状を規定し；
(ｖｉｉ)それは、アダプターエレメントとして作用して多蛋白質複合体のアセンブリ及びターゲティングを促進することができ；
(ｖｉｉｉ)それは、SEQ ID NO:２のサイエリンの分子量、アミノ酸組成又は他の物理的特性を有し；
(ｉｘ)それは、SEQ ID NO:２のサイエリンポリペプチドと少なくとも５０％の、好ましくは少なくとも６０％の、一層好ましくは少なくとも７０、８０、９０又は９５％の全体的配列類似性を有し；
(ｘ)それは、ヒトの胎盤において見出され；
(ｘｉ)それは、好ましくは、SEQ ID NO:２のアミノ酸残基２３１〜５４３に対して約７０％、８０％、９０％又は９５％同一である反復よりなる中央ドメインを有し；
(ｘｉｉ)それは、好ましくは、SEQ ID NO:２のアミノ酸残基６００〜６６２に対して約７０％、８０％、９０％又は９５％同一である単一のＬＩＭドメインを含むカルボキシルドメインを有し；
(ｘｉｉｉ)それは、約１０のｐＩを有し；
(ｘｉｖ)それは、ヒトの包皮組織の顆粒層において発現され得；そして
(ｘｖ)それは、毛嚢中の末梢細胞質内で、表皮の上部細胞層で並びに口腔、食道、膣、尿管及び角膜の上皮で発現され得る。
【請求項１０】  少なくとも５０アミノ酸長である、請求項８に記載のサイエリンポリペプチドの断片。
【請求項１１】  １６の反復を含む中央ドメイン及びＣ末端ＬＩＭドメインを含む実質的に純粋なサイエリンポリペプチド。
【請求項１２】  請求項１〜５の何れかに記載の核酸を含むベクター。
【請求項１３】  請求項１〜５及び１２の何れかに記載の核酸を含む細胞。
【請求項１４】  抗サイエリン抗体の精製された調製物。
【請求項１５】  請求項１１に記載の細胞を培地中で培養してサイエリンポリペプチドを発現させることを含むサイエリンペプチドの製造方法。
【請求項１６】  サイエリンポリペプチドを免疫原性調製物中に含み、そのサイエリンポリペプチドに特異的な免疫応答を誘出することのできる免疫原。
【請求項１７】  トランスジェニックサイエリン動物。
【請求項１８】  ケラチノサイトの分化を誘導する方法であって、ケラチノサイトを、分化を誘導するのに十分な量のサイエリン分子と接触させることを含む、上記の方法。
【請求項１９】  毛の成長を促進する方法であって、毛の幹細胞を、毛の成長を誘導するのに十分な量のサイエリン分子と接触させることを含む、上記の方法。
【請求項２０】  第１の組織エレメントと第２の組織エレメントとの接着を促進する方法であって、第１の組織エレメントと第２の組織エレメントの一方又は両方を接着を促進するのに十分な量のサイエリン分子と接触させることを含む、上記の方法。
【請求項２１】  患者の傷の治癒を促進する薬剤であって、傷の治癒を促進するのに十分な量のサイエリン分子を含む、上記の薬剤。
【請求項２２】  患者のサイエリン関連疾患を治療し又は予防するための薬剤であって、その患者におけるサイエリン関連疾患を治療し又は予防するのに有効な量のサイエリン分子を含む、上記の薬剤。
【請求項２３】  患者がサイエリンポリペプチドをコードする遺伝子の損傷又は誤発現に関係する異常の危険にあるかどうかを測定する方法であって、その患者の組織において、サイエリン遺伝子の発現に影響を及ぼす突然変異の有無を検出することを含む、上記の方法。
【請求項２４】  化合物を、患者のサイエリンポリペプチドと相互作用する能力について評価する方法であって、その化合物を患者のサイエリンポリペプチドと接触させ；そしてその化合物の患者のサイエリンポリペプチドと相互作用する能力を評価することを含む、上記の方法。
【請求項２５】  化合物を、患者のサイエリンポリペプチドをコードする核酸に結合する能力について評価する方法であって、その化合物をその核酸に接触させて、その化合物のその核酸と複合体を形成する能力を評価することを含む、上記の方法。
【手続補正書】
【提出日】平成18年3月22日(2006.3.22)
【手続補正１】
【補正対象書類名】明細書
【補正対象項目名】特許請求の範囲
【補正方法】変更
【補正の内容】
【特許請求の範囲】
【請求項１】  全代謝可能エネルギー摂取400kcal当たり0.2mg以上のビオチンおよび全代謝可能エネルギー摂取400kcal当たり33.0mg以上の１つ以上の他のビタミンＢを含有する食品または食材。
【請求項２】  前記ビオチンの濃度が、全代謝可能エネルギー摂取400kcal当たり１mg以上であることを特徴とする請求項１記載の食品または食材。
【請求項３】  前記ビタミンＢが、リボフラビン、ナイアシン、パントテン酸、およびピリドキシンの混合物であることを特徴とする請求項１または２記載の食品または食材。
【請求項４】  犬、猫もしくは馬用であることを特徴とする請求項１から３いずれか１項記載の食品または食材。
【請求項５】  完全バランス食または完全バランス食材であることを特徴とする請求項１から４いずれか１項記載の食品又は食材。
【請求項６】  全代謝可能エネルギー摂取400kcal当たり５mg以上の亜鉛を含むことを特徴とする請求項１から５いずれか１項記載の食品または食材。
【請求項７】  全代謝可能エネルギー摂取400kcal当たり10mg以上の亜鉛を含むことを特徴とする請求項６記載の食品または食材。
【請求項８】  全代謝可能エネルギー摂取400kcal当たり1.1g以上のリノール酸を含むことを特徴とする請求項１から７いずれか１項記載の食品または食材。
【請求項９】  全代謝可能エネルギー摂取400kcal当たり2.0g以上のリノール酸を含むことを特徴とする請求項８記載の食品または食材。
【請求項１０】  湿潤または乾燥組成物であることを特徴とする請求項１から９いずれか１項記載の食品または食材。
【請求項１１】  動物の皮膚および毛の状態を向上させるおよび／または改善するためのものであることを特徴とする請求項１から１０いずれか１項記載の食品または食材。
【請求項１２】  他の栄養摂取に加えて、ビオチンおよび１つ以上の他のビタミンＢを補充する栄養補助食物であって、全代謝可能エネルギー摂取400kcal当たり0.2mg以上の全ビオチン摂取、および全代謝可能エネルギー摂取400kcal当たり33.0mg以上の他のビタミンＢの全濃度を補充することを特徴とする栄養補助食物。
【請求項１３】  前記ビオチンおよび１つ以上のビタミンＢの合計濃度が、全代謝可能エネルギー摂取400kcal当たり147.1mgであることを特徴とする請求項１２記載の栄養補助食物。
【請求項１４】  前記ビタミンＢが、リボフラビン、ナイアシン、パントテン酸、およびピリドキシンの混合物であることを特徴とする請求項１２または１３記載の栄養補助食物。
【請求項１５】  犬、猫もしくは馬用であることを特徴とする請求項１２から１４いずれか１項記載の栄養補助食物。
【請求項１６】  他の栄養摂取に加えて、全代謝可能エネルギー摂取400kcal当たり５mg以上の全亜鉛摂取を補充することを特徴とする請求項１２から１５いずれか１項記載の栄養補助食物。
【請求項１７】  他の栄養摂取に加えて、全代謝可能エネルギー摂取400kcal当たり10mg以上の全亜鉛摂取を補充することを特徴とする請求項１６記載の栄養補助食物。
【請求項１８】  他の栄養摂取に加えて、全代謝可能エネルギー摂取400kcal当たり1.1g以上の全リノール酸摂取を補充することを特徴とする請求項１２から１７いずれか１項記載の栄養補助食物。
【請求項１９】  他の栄養摂取に加えて、全代謝可能エネルギー摂取400kcal当たり2.0g以上の全リノール酸摂取を補充することを特徴とする請求項１８記載の栄養補助食物。
【請求項２０】  固形状であることを特徴とする請求項１２から１９いずれか１項記載の栄養補助食物。
【請求項２１】  粉末状であることを特徴とする請求項２０記載の栄養補助食物。
【請求項２２】  動物の皮膚および毛の状態を向上させるおよび／または改善するためのものであることを特徴とする請求項１２から２１いずれか１項記載の栄養補助食物。
【請求項２３】  請求項１から１１いずれか１項記載の食品または食材あるいは請求項１２から２２いずれか１項記載の栄養補助食物の調製方法であって、その材料を一緒に混合し、必要に応じて任意の生の食材を調理するために過熱し、さらにその混合物を摂取または投与に適した形態で提供する工程を含むことを特徴とする調製方法。
【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】  非伸長性補強要素よりなる少なくとも１つの層で構成され、且つ各タイヤビードBにおいてビードワイヤ（２）に固定された少なくとも１つのラジアルカーカス補強体（１）を備え、該ラジアルカーカス補強体は、端部がビードの基部から半径方向距離HRNCのところに位置決めされた折返し部（１０）を備え、各ビードBが、少なくとも２つの追加の補強体（６、７）、すなわち、上記カーカス補強体（１）の外側でカーカス補強体（１）を固定するビードワイヤ（２）のまわりに巻きつけられて２つの部分（６０、６１）を形成しており、軸方向外側部分（６０）の半径方向上端部がビードの基部から距離HRNCの６５％に少なくとも等しい距離HLE離れて半径方向に位置決めされているラジアル補強要素で構成された少なくとも１つの第１補強体（６）、および、上記固定用ビードワイヤ（２）に巻きつけられていない少なくとも１つの第２補強体（７）によって補強されているタイヤにおいて、
子午線方向断面で見て、第２の追加のビード補強体は周方向の金属補強要素よりなる少なくとも１つの層（７）で構成されており、該周方向の金属補強要素は、周長がビードワイヤの中心軸線の周長より短い金属ケーブル部分またはケーブル束であることを特徴とするタイヤ。
【請求項２】  第２補強体（７）は、折返しされていないカーカス補強体（１）の部分の軸方向外側に配置されており、第２補強体（７）の半径方向上端部がラジアル補強要素の第１補強体の軸方向内側部分の半径方向上端部より回転軸線に近接しており、第２補強体（７）の半径方向下端部がビードの基部に近接していることを特徴とする請求項１に記載のタイヤ。
【請求項３】  第２補強体（７）は折返しされていないカーカス補強体（１）の部分の軸方向内側でカーカス補強体の上記非折返し部分とラジアル要素の第１補強体（６）との間に配置されており、第２補強体（７）の半径方向上端部がラジアル要素の軸方向内側部分の上端部より回転軸線に近接しており、第２補強体（７）の半径方向下端部がビードの基部に近接していることを特徴とする請求項１に記載のタイヤ。
【手続補正２】
【補正対象書類名】明細書
【補正対象項目名】００１０
【補正方法】変更
【補正の内容】
【００１０】
ラジアルカーカス補強体をもつタイヤでビードおよび側壁部の低い部分のより効果的な剛性を得るために、仏国特許第１５９４７８０号は、カーカス補強体の主部分の軸線方向外側且つ該カーガス補強体の軸線方向外側に位置するビード補強体が半径方向補強要素からなることを提案している。
重車両用ラジアルタイヤのビードの耐久性を改善するために、欧州特許第０２０２９２５号はまた、２つの追加のビード補強体、すなわち、金属要素からなる第１補強体、および、中間方向に対して傾いた第２補強体であって、これらの補強体の半径方向端部の半径方向位置が特定されている２つの追加の補強体の使用を提案している。
本発明は、平坦型と呼ばれる種類、またはリムシートが５°で傾斜されている種類のリムに嵌合されるように設計されたビードを有するタイヤ用の技術的および工業的に最適な別の解決法を提案する。
【手続補正３】
【補正対象書類名】明細書
【補正対象項目名】００１１
【補正方法】変更
【補正の内容】
【００１１】
重い荷重を支持するように設計されたタイヤの耐久性を改善するために、本発明によれば、非伸長性補強要素よりなる少なくとも１つの層で構成され、且つ各タイヤビードBにおいてビードワイヤに固定された少なくとも１つのラジアルカーカス補強体を備え、該ラジアルカーカス補強体は、端部がビードの基部から半径方向距離HRNCのところに位置決めされた折返し部を備え、各ビードBが、少なくとも２つの追加の補強体、すなわち、上記カーカス補強体の外側でカーカス補強体を固定するビードワイヤのまわりに巻きつけられて２つの部分を形成しており、軸方向外側部分の半径方向上端部がビードの基部から距離HRNCの６５％に少なくとも等しい距離HLE離れて半径方向に位置決めされているラジアル補強要素で構成された少なくとも１つの第１補強体、および、上記固定用ビードワイヤに巻きつけられていない少なくとも１つの第２補強体によって補強されているタイヤにおいて、子午線方向断面で見て、第２の追加のビード補強体は周方向の金属補強要素よりなる少なくとも１つの層で構成されており、該周方向の金属補強要素は、周長がビードワイヤの中心軸線の周長より短い金属ケーブル部分またはケーブル束であることを特徴とするタイヤが提供される。
【手続補正４】
【補正対象書類名】明細書
【補正対象項目名】００２６
【補正方法】削除
【補正の内容】
【手続補正５】
【補正対象書類名】明細書
【補正対象項目名】図面の簡単な説明
【補正方法】変更
【補正の内容】
【図面の簡単な説明】
【図１】
本発明によるタイヤビードの第１実施例の概略図である。
【図２】
ビードワイヤを編組し且つビードを薄くした本発明によるビードの第２実施例の概略図である。
【手続補正６】
【補正対象書類名】図面
【補正対象項目名】図３
【補正方法】削除
【補正の内容】
【手続補正書】
【提出日】平成18年3月20日(2006.3.20)
【手続補正１】
【補正対象書類名】明細書
【補正対象項目名】特許請求の範囲
【補正方法】変更
【補正の内容】
【特許請求の範囲】
【請求項１】  式
【化９１】
2002507600.tif 000001
［式中、Ｒ1は、式
【化９２】
2002507600.tif 000002
の基であり、
ｎは、０、１または３であり、
Ｒ2は−ＣＯ2Ｒ5であって、ここでＲ5は、水素または鎖中に１〜４個の炭素原子を有する直鎖状もしくは分枝状のアルキルであり、
Ｒ3は、アルキル、または、
【化９３】
2002507600.tif 000003
であって、
ここでアルキルは、鎖中に１〜４個の炭素原子を有する直鎖状または分枝状であり、
Ｚ2は、フェニルであり、
ＡおよびＢは、水素または一緒になって結合であり、
ｏは、１または２であり、
Ｒ4は、場合により置換されたシクロアルキル、場合により置換されたフェニル、場合
により置換された（フェニル置換されたフェニル）、または場合により置換された（フェニル置換されたヘテロアリール）であり、
ここでシクロアルキルは、３〜１０個の炭素原子を有する、非芳香族性の単環式または多環式の環構造であり、
ここで場合により置換されるのは、ハロ、アルコキシ、Ｙ1Ｙ2Ｎ−アルキル-、Ｙ1Ｙ2ＮＣＯ−、およびオキソ（Ｏ＝）であり、
ここでヘテロアリールは、ピラジニル、フラニル、チエニル、ピリジル、ピリミジニル、イソオキサゾリル、イソチアゾリル、オキサゾリル、チアゾリル、ピラゾリル、フラザニル、ピロリル、ピラゾリル、トリアゾリル、１,２,４−チアジアゾリル、ピリダジニル、キノキサリニル、フタラジル、イミダゾ[１,２−ａ]ピリジン、イミダゾ[２,１−ｂ]チアゾリル、ベンゾフラザニル、インドリル、アザインドリル、ベンゾイミダゾリル、ベンゾチエニル、キノリニル、イミダゾリル、チエノピリジル、キナゾリニル、チエノピリミジル、ピロロピリジル、イミダゾピリジル、イソキノリニル、ベンゾアザインドール、および１,２,４−トリアジニル基から選ばれた基であり、
ここでＹ1Ｙ2Ｎ−は、アミノ、メチルアミノ、ジメチルアミノ、ジエチルアミノ、ピロリジン、ピペリジン、ベンジルアミノおよびフェネチルアミノ基から選ばれた基であり、
Ｒ7は、水素であり、
Ｚ3は、ジヒドロピリジン、テトラヒドロピリジン、またはピペリジンであり、ここでジヒドロピリジン、テトラヒドロピリジン、およびピペリジンは非置換または式
【化９４】
2002507600.tif 000004
（ここで、Ｒ10は水素、ＨＯ−、またはＲ12Ｏ2Ｃ−であり、ならびにＲ8およびＲ9は水素または一緒になって＝ＮＲ11であり、ならびにＲ11は水素であり、ここでＲ12は鎖中に１〜４個の炭素原子を有する直鎖状または分枝状のアルキルである）部分により置換されている］
の化合物、またはその医薬上許容しうる塩。
【請求項２】  Ｒ8およびＲ9が一緒になって＝ＮＲ11であり、Ｒ10およびＲ11が、独立して水素、ＨＯ−、またはＲ12Ｏ2Ｃ−であり、そしてＲ12が、請求項１で定義した通りである、請求項１に記載の化合物。
【請求項３】  Ｒ8およびＲ9が、水素である、請求項１に記載の化合物。
【請求項４】  ｎが１である、請求項１に記載の化合物。
【請求項５】  Ｚ3が、Ｚ3が分子の残りに付いている位置に対してＺ3の環構造のメタまたはパラ位でアミジノ基により置換されている、請求項１に記載の化合物。
【請求項６】
【化９５】
2002507600.tif 000005
【化９６】
2002507600.tif 000006
【化９７】
2002507600.tif 000007
【化９８】
2002507600.tif 000008
【化９９】
2002507600.tif 000009
である、請求項１に記載の化合物。
【請求項７】
【化１００】
2002507600.tif 000010
である、請求項１に記載の化合物。
【請求項８】  医薬上許容しうる量の請求項１に記載の化合物、および医薬上許容しうる担体からなる医薬組成物。
【請求項９】  急性心筋梗塞症、不安定狭心症、血栓塞栓症、血栓溶解療法および経皮経管冠動脈形成術と関連する緊急の血管閉鎖、一過性脳虚血発作、卒中、間欠性跛行および冠状動脈もしくは末梢動脈のバイパス移植の治療のための、または、血管腔狭窄症（再狭窄）、静脈血管系、腹部、膝および股関節部の手術の後の下肢静脈においてしばしば生じる病的な血栓形成、深部静脈血栓症、もしくは全身性播種性血管内凝固症の予防のための医薬の製造における請求項１〜７のいずれかに記載の式（Ｉ）の化合物の使用。
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  有効成分として、下式（Ｉ）
【化１】
2002507579.tif 000001
〔式中、Ｒ1は炭素数１〜４のアルキル基または置換されていてもよい炭素数６〜１０のアリール基を示し；Ｒ2とＲ3は同一または異なってよく、それぞれ水素または炭素数１〜４のアルキル基を示すか、あるいはＲ2とＲ3とが連結して炭素数３〜７の環を形成してもよく；Ｒ4はアリール、シクロアルキルまたは芳香族複素環残基で置換されていてもよい低級アルキル基を示す。〕
の化合物またはその医薬上許容される塩を含有してなる脳組織障害の予防または治療用医薬組成物。
【請求項２】  式（Ｉ）におけるＲ1がフッ素、塩素もしくはメチルで置換されていてもよい、フェニルまたはナフチルである、請求項１記載の医薬組成物。
【請求項３】  式（Ｉ）におけるＲ1がメチル、４−フルオロフェニル、４−クロロフェニル、ｐ−トリルおよび２−ナフチルからなる群より選ばれる基である、請求項１記載の医薬組成物。
【請求項４】  式（Ｉ）において、Ｒ2がプロピル、イソプロピルまたはｔｅｒｔ−ブチルであり、かつＲ3が水素である、請求項１記載の医薬組成物。
【請求項５】  式（Ｉ）において、Ｒ2がイソプロピルであり、かつＲ3が水素である、請求項１記載の医薬組成物。
【請求項６】  式（Ｉ）において、Ｒ2とＲ3とが連結してシクロペンチリデンまたはシクロヘキシリデンを形成する、請求項１記載の医薬組成物。
【請求項７】  式（Ｉ）において、Ｒ4がイソブチル、ベンジル、シクロヘキシルメチルおよびインドール−３−イルメチルからなる群より選ばれる基である、請求項１記載の医薬組成物。
【請求項８】  有効成分が、Ｎ−（４−フルオロフェニルスルホニル）−Ｌ−バリル−Ｌ−ロイシナールまたはその医薬上許容される塩である、請求項１記載の医薬組成物。
【請求項９】  脳組織障害が、脳血流の不全に起因するものである、請求項１〜８のいずれかに記載の医薬組成物。
【手続補正書】
【提出日】平成18年1月17日(2006.1.17)
【手続補正１】
【補正対象書類名】明細書
【補正対象項目名】特許請求の範囲
【補正方法】変更
【補正の内容】
【特許請求の範囲】
【請求項１】  皮膚、唇及び／又は体表面成長物の局所用化粧品及び／又は医薬組成物の製造のための、単独使用又は少なくとも１種の別の活性成分と併用する活性成分としてのＭｏｒｉｎｇａｃｅａｅ科に属するＭｏｒｉｎｇａ属植物の種子から抽出した少なくとも１種のタンパク質フラクションの使用。
【請求項２】  タンパク質フラクションがＭｏｒｉｎｇａ  ｏｌｅｉｆｅｒａ植物の抽出物から構成されることを特徴とする請求項１に記載の使用。
【請求項３】  タンパク質フラクションが場合により超音波発生器を使用して水又は水溶液、特に種々のｐＨの塩類溶液で抽出されることを特徴とする請求項１又は２に記載の使用。
【請求項４】  タンパク質フラクションが部分的もしくは完全に脱脂した殻つきもしくは穀をとった種子の水性もしくは緩衝溶媒抽出物又はタンパク質濃縮物又は精製タンパク質又は前記成分の少なくとも２種の混合物から構成されることを特徴とする請求項１から３のいずれか一項に記載の使用。
【請求項５】  タンパク質フラクションが乾燥抽出物に基づき０．０１〜１００重量％、好ましくは約４５重量％のタンパク質を含有していることを特徴とする請求項１から４のいずれか一項に記載の使用。
【請求項６】  タンパク質フラクションが７を上回る等電点、好ましくは８〜１２の等電点をもつ少なくとも１種のタンパク質化合物を含むことを特徴とする請求項１から５のいずれか一項に記載の使用。
【請求項７】  タンパク質フラクションがｐＨ８〜１２の等電点沈殿により得られることを特徴とする請求項１から６のいずれか一項に記載の使用。
【請求項８】  タンパク質フラクションがイオン交換クロマトグラフィーにより得られることを特徴とする請求項１から６のいずれか一項に記載の使用。
【請求項９】  タンパク質フラクションがアフィニティークロマトグラフィー、ゲル濾過、限外濾過、溶媒、硫酸アンモニウム等の塩等による沈殿又は有機ポリマーもしくは温度変化による沈殿から構成される群から選択される製造方法により得られることを特徴とする請求項１から６のいずれか一項に記載の使用。
【請求項１０】  タンパク質フラクションが天然タンパク質から構成されることを特徴とする請求項１から９のいずれか一項に記載の使用。
【請求項１１】  タンパク質フラクションが天然タンパク質から製造した化学的又は酵素水解物から構成されることを特徴とする請求項１から９のいずれか一項に記載の使用。
【請求項１２】  タンパク質フラクションがＭｏｒｉｎｇａ属植物から抽出した天然タンパク質の重合又は微生物もしくは植物細胞発酵により得られることを特徴とする請求項１から９のいずれか一項に記載の使用。
【請求項１３】  タンパク質フラクションが例えば単糖類、配糖体、脂質等の化合物のグラフトにより化学的に修飾されていることを特徴とする請求項１から９のいずれか一項に記載の使用。
【請求項１４】  タンパク質フラクションが例えば皮膜形成剤、リポソーム、シクロデキストリン、ミセル、カイロミクロン、マクロ粒子、ミクロ粒子、ナノ粒子、マクロカプセル、マイクロカプセル又はナノカプセル等の適当な化粧品ビヒクルに組み込まれているか又は結合されていることを特徴とする請求項１から１３のいずれか一項に記載の使用。
【請求項１５】  タンパク質フラクションが有機ポリマー又は無機キャリヤーに吸着又はグラフトされていることを特徴とする請求項１から１３のいずれか一項に記載の使用。
【請求項１６】  抽出されたタンパク質フラクションが皮膚、唇及び体表面成長物、特に表皮、特に角質層及び皮膚付属物、即ち皮膚、毛髪及び爪の実質及び水分補給活性をもつことを特徴とする請求項１から１３のいずれか一項に記載の使用。
【請求項１７】  抽出されたタンパク質フラクションが皮膚、唇及び体表面成長物の生理的調節作用、皮膚、唇及び体表面成長物の再生、修復及び水分補給作用、皺防止作用並びに汚染防止作用をもつことを特徴とする請求項１から１３のいずれか一項に記載の使用。
【請求項１８】  活性成分として請求項１から１７のいずれか一項に記載の１種以上のタンパク質フラクション０．０１〜８０重量％、好ましくは約２重量％を単独又は少なくとも１種の別の活性成分と共に含むことを特徴とする化粧品または医薬組成物、とりわけ皮膚又は体表面成長物に対する局所使用のための化粧品または医薬組成物。
【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】  特に砂地、泥濘地あるいは沼地を移動する車両用の、経糸および緯糸からなる織物構造（１）を伴うタイプの臨時の表面カバーであって、その機織は、各経糸がそれぞれに続く緯糸と絡み合う形、つまり好ましくは、かつ非常に近似的には、前記織物の行と列の交差の半分と絡み、前記交差の残りの中に前記経糸が残される形となり、各経糸に関して、少なくとも１つの単純かつ、かみ合った織物の領域およびそれに続くフロートの領域が確保される臨時の表面カバーにおいて、第２の補助織物構造（２）が重ねられ、経糸のレイヤおよび緯糸のレイヤを構成し、これら２つの織物構造（１、２）の間の接続が、前記構造のオーバーラップとともに、同一かつ同時の機織オペレーションの間にもたらされ、２つの構造の間において、部分部分に、前記経糸に従う方向もしくは前記緯糸に従う方向に延びる管状ポケット（３、３′）であって、エレメント（４、４′）を含む管状ポケットが構成されることを特徴とするカバー。
【請求項２】  前記ポケット（３、３′）は、少なくとも１本の細長い剛性増加エレメント（４）を含むことを特徴とする前記請求項１記載のカバー。
【請求項３】  前記細長いエレメント（４）は、コンポジット材料からなるバーであることを特徴とする前記請求項２記載のカバー。
【請求項４】  前記細長いエレメント（４′）は、加圧流体の補助を伴って膨張すべく適合された柔軟な管であることを特徴とする前記請求項２記載のカバー。
【請求項５】  前記ポケット（３、３′）は、探知または測定のためのデバイスまたは手段を含むことを特徴とする前記請求項１記載のカバー。
【請求項６】  前記ポケット（３、３′）は、破壊手段を含むことを特徴とする前記請求項１記載のカバー。
【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】  ａ）０．５〜１０重量％のフィルム形成性ヘアスプレー樹脂、ｂ）１０〜６０重量％の、少なくとも１つの炭化水素及びジ（Ｃ１−４アルキル）エ−テルを５：１〜１：１０の重量比で含有する混合物を含む噴射剤、ｃ）０．０１〜１．０重量％の、ヘアスプレー組成物に自己非親和性挙動を付与する界面活性剤またはポリマーである自己非親和性ヘアスプレー添加剤、及びｄ）水を含む単相自己非親和性ヘアスプレー組成物。
【請求項２】  フィルム形成性ヘアスプレー樹脂が両性樹脂、好ましくはオクチルアクリルアミド／アクリレート／ブチルアミノエチルメタクリレートコポリマーである請求の範囲第１項に記載のヘアスプレー組成物。
【請求項３】  自己非親和性ヘアスプレー添加剤が
（ｉ）式（Ｉ）：
【化１】
2002507558.tif 000001
（式中、ｍ及びｎは０〜５０の整数であり、ｘ及びｙはコポリオールの分子量を少なくとも６００とするように選択される整数であり、Ｚは水素またはＣ１−４アルキル基である）
を有するアルキルペンダントシリコーンコポリオール、
（ｉｉ）式（ＩＩ）：
【化２】
2002507558.tif 000002
（式中、ｎはコポリオールの分子量を少なくとも６００とするように選択される整数であり、ｘ及びｘ’は１〜１２の整数であり、ａ、ａ’、ｂ及びｂ’は０〜５０の整数であり、Ｒは水素またはＣ１−４アルキル基である）
を有するジメチコーンコポリオール、
（ｉｉｉ）式（ＩＩＩ）：
【化３】
2002507558.tif 000003
（式中、ｘ及びｎはコポリオールの分子量を少なくとも５００とするように選択される整数であり、ｙは１〜１２の整数であり、ａ及びｂは０〜５０の整数である）
を有するポリジメチコーンコポリオール、
（ｉｖ）アルキルエトキシレート、及び
（ｖ）フルオロ界面活性剤
からなる群から選択される請求の範囲第１項または第２項に記載のヘアスプレー組成物。
【請求項４】  自己非親和性ヘアスプレー添加剤が式（Ｉ）を有するシリコーンコポリオール、好ましくはエトキシル化ジメチコーンコポリオールである請求の範囲第３項に記載のヘアスプレー組成物。
【請求項５】  炭化水素対ジ（Ｃ１−４アルキル）エーテルの重量比が１：１〜１：４、好ましくは約１：２である請求の範囲第１項〜第４項のいずれかに記載のヘアスプレー組成物。
【請求項６】  含水量が組成物の全量の１０〜２５重量％、好ましくは１５〜２０重量％である請求の範囲第１項〜第５項のいずれかに記載のヘアスプレー組成物。
【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】クローバーまたはヒヨコ豆の抽出物を含む組成物であって、該抽出物が１）主としてビオカニン、または２）ビオカニンとホルモノネチン、ダイゼイン、およびゲニステインのグループから選択される１以上のイソフラボン類とを約２：１から約５：１の比率で含み、任意に１以上の薬学的に許容される担体、賦形剤、補助剤および／または希釈剤を併用するものであることを特徴とする組成物。
【請求項２】クローバーまたはヒヨコ豆の抽出物を含む異常に高活性なステロイド性エストロゲンに関連する疾患の治療、発症予防、改善または予防のための組成物であって、該抽出物が１）主としてビオカニン、または２）ビオカニンとホルモノネチン、ダイゼイン、およびゲニステインのグループから選択される１以上のイソフラボン類とを約２：１から約５：１の比率で含み、任意に１以上の薬学的に許容される担体、賦形剤、補助剤および／または希釈剤を併用するものであることを特徴とする組成物。
【請求項３】疾患が、子宮筋腫、多嚢胞性卵巣疾患、卵巣嚢胞、乳腺痛、周期性瘡、子宮内膜症および子宮内膜増殖から選択される請求項２に記載の組成物。
【請求項４】ホルモノネチン、ダイゼインおよび／またはゲニステインのグループからの１以上のイソフラボンに対するビオカニンの割合が約７：３から約５：１である請求項１または２に記載の組成物。
【請求項５】クローバーまたはヒヨコ豆の抽出物が水／水混合性有機溶剤抽出物である請求項１または２に記載の組成物。
【請求項６】イソフラボンがグリコシド、アグリコン、アセチルまたはマロニル型である請求項１または２に記載の組成物。
【請求項７】異常に高活性なステロイド性エストロゲンに関連する疾患の治療、発症予防、改善または予防のための薬剤の製造方法であって、１）主としてビオカニン、または２）ビオカニンとホルモノネチン、ダイゼイン、およびゲニステインのグループから選ばれる１以上のイソフラボン類とを約２：１から約５：１の比率で含むクローバーまたはヒヨコ豆のイソフラボン抽出物を、任意に１以上の薬学的に許容される担体、賦形剤、補助剤および／または希釈剤と混合することを特徴とする方法。
【請求項８】疾患が、子宮筋腫、多嚢胞性卵巣疾患、卵巣嚢胞、乳腺痛、周期性瘡、子宮内膜症および子宮内膜増殖から選択される請求項７に記載の使用法。
【請求項９】イソフラボンを含む抽出物が主として、イソフラボン含有量の少なくとも６５重量％のビオカニンを含み、残りがホルモノネチン、ダイゼインおよびゲニステインのグループからのイソフラボンを含む請求項７に記載の使用法。
【請求項１０】７０から１００％のビオカニンを含む請求項９に記載の使用法。
【請求項１１】ホルモノネチン、ダイゼインおよび／またはゲニステインからなるグループの１以上のイソフラボンに対するビオカニンの割合が約７：３から約５：１である請求項７に記載の使用法。
【請求項１２】イソフラボンがグリコシド、アグリコン、アセチルまたはマロニル型である請求項７に記載の使用法。
【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】  Ａβの産生を減少させるための組成物であって、アルツハイマー病の危険がある、またはその症状を示す、コレステロールのレベル上昇を伴う個人に対して投与するために処方された、血中コレステロールレベルを減少させる組成物を含有する、組成物。
【請求項２】  前記組成物が、ＨＭＧ  ＣｏＡレダクターゼインヒビターである、請求項１に記載の組成物。
【請求項３】  前記組成物が、ロバスタチン、シンバスタチン、フルバスタチン、プラバスタチン、アトルバスタチン、セリバスタチンおよびコンパクチンからなる群より選択される、請求項２に記載の組成物。
【請求項４】  前記組成物が，食餌コレステロールの取り込みを阻害するか、コレステロールの内因性産生をブロックするかもしくは減少させるか、またはコレステロール代謝またはクリアランスを増大させる、請求項１に記載の組成物。
【請求項５】  前記個人が、アポリポタンパク質Ｅ４遺伝子を有する、請求項１に記載の組成物。
【請求項６】  前記個人が、トリソミー２１（ダウン症候群）を有する、請求項１に記載の組成物。
【請求項７】  前記個人が、アミロイドβタンパク質、アミロイド前駆体タンパク質、プレセニリン−１またはプレセニリン−２をコードする遺伝子において１以上の変異を有する、請求項１に記載の組成物。
【請求項８】  前記個人が、アルツハイマー病または痴呆性疾患の家族歴を有する、請求項１に記載の組成物。
【請求項９】  前記個人が、高コレステロールを伴う閉経後女性である、請求項１に記載の組成物。
【請求項１０】  前記個人が、高血中コレステロールレベルを有し、肥満ではない、請求項１に記載の組成物。
【請求項１１】  前記個人が、４８〜６５歳の間の年齢である、請求項１に記載の組成物。
【請求項１２】  個人がアルツハイマー病を発症する危険にあるか否かを分析するためのデータを集めるための方法であって、該個人の血中コレステロールレベルが上昇しているか否かを決定する工程を包含する、方法。
【請求項１３】  前記レベルが２００ｍｇ／ｄｌ以上である、請求項１２に記載の方法。
【請求項１４】  前記個人がアポリポタンパク質Ｅ４遺伝子を有するか否かを決定する工程をさらに包含する、請求項１２に記載の方法。
【請求項１５】  前記個人が、トリソミー２１（ダウン症候群）を有するか否かを決定する工程をさらに包含する、請求項１２に記載の方法。
【請求項１６】  前記個人が、アミロイドβタンパク質、アミロイド前駆体タンパク質、プレセニリン−１またはプレセニリン−２をコードする遺伝子において１以上の変異を有するか否かを決定する工程をさらに包含する、請求項１２に記載の方法。
【請求項１７】  前記個人が、アルツハイマー病または痴呆性疾患の家族歴を有するか否かを決定する工程をさらに包含する、請求項１２に記載の方法。
【請求項１８】  前記個人が、高コレステロールを伴う閉経後女性であるか否かを決定する工程をさらに包含する、請求項１２に記載の方法。
【請求項１９】  個人が、アルツハイマー病を発症する危険にあるか否かを決定するためのキットであって、血中コレステロールレベルが、２００ｍｇ／ｄｌを超えるか否かを決定するための試薬を備える、キット。
【請求項２０】  アポリポタンパク質Ｅ４遺伝子、アポリポタンパク質Ｅ４遺伝子産物、アミロイドβタンパク質、アミロイド前駆体タンパク質、プレセニリン−１およびプレセニリン−２からなる群より選択される少なくとも１つの因子を決定するための試薬をさらに備える、請求項１９に記載のキット。
【請求項２１】  血中コレステロールレベルを減少させる化合物の有効量を含む、Ａβの産生を減少するための組成物。
【請求項２２】  ＨＭＧ  ＣｏＡレダクターゼインヒビターを含む、請求項２１に記載の組成物。
【請求項２３】  前記インヒビターが、ロバスタチン、シンバスタチン、フルバスタチン、プラバスタチン、アトルバスタチン、セリバスタチンおよびコンパクチンからなる群より選択される、請求項２２に記載の組成物。
【請求項２４】  食餌コレステロールの取り込みを阻害する化合物を含む、請求項２１に記載の組成物。
【請求項２５】  請求項２１に記載の組成物であって、該組成物は、コレステロールの内因性産生をブロックするかまたは減少させる、組成物。
【請求項２６】  請求項２５に記載の組成物であって、該組成物は、２，３−オキシドスクアレンシクラーゼ、スクアレンシンターゼ、および７−デヒドロコレステロールレダクターゼからなる群より選択されるコレステロール生合成酵素のインヒビターを含む、組成物。
【請求項２７】  請求項２１に記載の組成物であって、該組成物は、フィブレート、胆汁酸結合樹脂、プロブコール、ニコチン酸、ニンニク、ニンニク誘導体および車前子からなる群より選択される、組成物。
【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  熱可塑性樹脂基材層と、この基材の少なくとも１つの表面上の環式脂肪族ポリエステルを含む接着層とを含む多層プラスチック製品であって、上記熱可塑性樹脂基材層がポリカーボネート樹脂、ＡＢＳ樹脂、ＡＳＡ樹脂、ポリフェニレンエーテルもしくはポリフェニレンエーテル／ポリスチレンブレンド、又はポリカーボネート樹脂とＡＢＳ、ＡＳＡもしくはポリエステル樹脂とを含むブレンドである、多層プラスチック製品。
【請求項２】  前記基材層がポリカーボネート又はポリカーボネート含有ブレンドである、請求項１記載の製品。
【請求項３】  前記基材層のポリカーボネート含有ブレンドが１５〜８５重量％のポリカーボネートと１５〜８５重量％のＡＢＳ、ＡＳＡ又はポリエステル樹脂とを含む、請求項２記載の製品。
【請求項４】  前記接着層がポリカーボネートと環式脂肪族ポリエステルとのブレンドである、請求項１乃至請求項３のいずれか１項記載の製品。
【請求項５】  前記接着層が、ポリカーボネートと、環式脂肪族ジオール及び環式脂肪族二酸から誘導される環式脂肪族ポリエステルとのブレンドである、請求項１乃至請求項４のいずれか１項記載の製品。
【請求項６】  前記環式脂肪族ポリエステルがポリ（１，４−シクロヘキサンジメタノール−１，４−シクロヘキサンジカルボキシレート）である、請求項１乃至請求項４のいずれか１項記載の製品。
【請求項７】  前記接着層のポリカーボネート−環式脂肪族ポリエステルブレンド中のポリカーボネートの量が該ブレンドの１〜５０重量％である、請求項４記載の製品。
【請求項８】  さらに酸性リン失活剤を含む、請求項４記載の製品。
【請求項９】  前記酸性リン失活剤が亜リン酸、リン酸、酸性オルガノホスフェート及び酸性オルガノホスファイトより成る群の中から選択される、請求項８記載の製品。
【請求項１０】  前記ブレンドがポリカーボネート、環式脂肪族ポリエステル及びＵＶ吸収剤を含む、請求項４記載の製品。
【請求項１１】  前記ＵＶ吸収剤が２−（ベンゾトリアゾール−２−イル）−４−（１，１，３，３−テトラメチルブチル）フェノール、２−（ベンゾトリアゾール−２−イル）−４−メチルフェノール、２−ヒドロキシ−４−オクチルオキシベンゾフェノン、２−ヒドロキシ−４−メトキシベンゾフェノン、エチル−２，２−ジフェニル−１−シアノアクリレート、２’−エチルヘキシル−２，２−ジフェニル−１−シアノアクリレート、２−（２’−ヒドロキシ−４’−オクチルオキシ）ビス−４，６−（２’，４’−ジメチルフェニル）トリアジン、２−エチル−２’−エトキシオキサルアニド、ビス［２−ヒドロキシ−５−メチル−３−（ベンゾトリアゾール−２−イル）フェニル］−メタン、ビス［２−ヒドロキシ−５−ｔ−オクチル−３−（ベンゾトリアゾール−２−イル）フェニル］メタン、２，２’−（１，４−フェニレン）ビス［４Ｈ−３，１−ベンゾオキサジン−４−オン］、及び２−（２’−ヒドロキシ）−４，６−ジフェニルトリアジンより成る群の中から選択される、請求項１０記載の製品。
【請求項１２】  前記ＵＶ吸収剤がベンゾトリアゾール類、ベンゾフェノン類、トリアジン類、シアノアクリレート類、ジベンゾイルレゾルシノール類又はオキサニリド類である、請求項１０記載の製品。
【請求項１３】  前記ＵＶ吸収剤がジベンゾイルレゾルシノール類である、請求項１０記載の製品。
【請求項１４】  ジベンゾイルレゾルシノール類が４，６−ジベンゾイルレゾルシノール、ビス（２，６−ジヒドロキシ−３，５−ジベンゾイルフェニル）メタン、又は２−（３−トリエトキシシリルプロピル）−４，６−ジベンゾイルレゾルシノールである、請求項１３記載の製品。
【請求項１５】  前記基材と環式脂肪族ポリエステル層との間に中間装飾層を含んでいる、請求項１記載の製品。
【請求項１６】  前記中間層が環式脂肪族ポリエステル層の内面の少なくとも一部に印刷されている、請求項１５記載の製品。
【請求項１７】  熱可塑性樹脂基材、基材の少なくとも１つの表面に接合された同じ樹脂の第一のフィルム、及び第一のフィルムの外面に接合された環式脂肪族ポリエステルを含む第二のフィルムからなる、請求項１記載の製品。
【請求項１８】  ポリカーボネート基材、この基材の少なくとも１つの表面に接合されたポリカーボネートフィルム、及びこのポリカーボネートフィルムの外面に接合された環式脂肪族ポリエステル表面フィルムからなる、請求項１７記載の製品。
【請求項１９】  前記表面フィルムがポリカーボネートと環式脂肪族ポリエステルのブレンドである、請求項１８記載の製品。
【請求項２０】  前記環式脂肪族ポリエステルがＰＣＣＤである、請求項１９記載の製品。
【請求項２１】  ポリカーボネート−ポリエステル基材がさらにゴム質耐衝撃性改良剤を含有している、請求項３記載の製品。
【請求項２２】  前記ゴム質耐衝撃性改良剤がＭＢＳ、アクリルゴム、ＡＳＡ又はＡＢＳゴムより成る群の中から選択される、請求項２１記載の製品。
【請求項２３】  ブロー成形法、シート押出成形法、フィルム押出成形法、異形押出成形法、絵付成形法又は射出成形法によって作成されたものである、請求項１記載の製品。
【請求項２４】  基材層材料と上層材料とを共押出し、基材層の底面を装飾し、基材材料の別の層を基材の装飾面に射出成形又はブロー成形することによって製造されたものである、請求項２３記載の製品。